(57)【要約】    【課題】  出力の大きなアンプを不要とすることができ、雑音環境の中においても周囲の人に迷惑をかけることなく視聴することができるテレビ受信装置を提供する。    【解決手段】  テレビ受信装置１００は、マイクロコンピュータ６と、マイクロコンピュータ６に接続された比較器５と、比較器５に接続された検出器３と、検出器３にマイクアンプ２を介して接続されたマイク１と、比較器５に接続され、所定の設定値Ｎ１を記憶する記憶装置４とを備える。マイクロコンピュータ６は、検出器３の出力が記憶装置４の所定の設定値Ｎ１より大きいときは、切り換えスイッチ１３をオンにして文字情報回路１２の出力を合成器１４に送出する。合成器１４はＴＶ受信復調回路８から出力される映像信号と文字情報変換回路１２から送出される文字情報を合成し、表示器１５はＴＶ受信復調回路８の映像情報と文字情報回路１２の文字情報が重畳した映像を表示する。【選択図】      図１
2005236900.tif 000002
【特許請求の範囲】
【請求項１】
テレビジョン放送を受信する受信手段と、周囲の雑音を収集して周囲雑音信号を出力する雑音収集手段と、前記受信手段により受信されたテレビジョン放送の音声信号に応じた文字情報を生成する生成手段と、当該生成された文字情報を表示する表示装置と、前記雑音収集手段から出力された周囲雑音信号のレベルに応じて前記生成された文字情報を表示するように前記表示装置を制御する制御手段とを備えることを特徴とするテレビ受信装置。
【請求項２】
前記制御手段は、前記雑音収集手段から出力された周囲雑音信号のレベルが所定の設定値よりも高いとき、前記生成された文字情報を表示し、前記所定の設定値よりも低いときには前記生成された文字情報を消去するように前記表示装置を制御することを特徴とする請求項１記載のテレビ受信装置。
【請求項３】
前記表示装置は、前記生成された文字情報を表示する第１の表示装置と、前記受信手段により受信されたテレビジョン放送の映像信号を表示する第２の表示装置とを備えており、前記制御手段は、前記雑音収集手段から出力された周囲雑音信号のレベルに応じて前記生成された文字情報を表示するように前記第１の表示装置を制御することを特徴とする請求項１記載のテレビ受信装置。
【請求項４】
前記制御手段は、前記雑音収集手段から出力された周囲雑音信号のレベルが所定の設定値よりも高いとき、前記生成された文字情報を表示するように前記第１の表示装置を制御することを特徴とする請求項３記載のテレビ受信装置。
【請求項５】
前記受信手段により受信されたテレビジョン放送の音声信号を音声として出力する音声出力装置をさらに備え、前記制御手段は、前記雑音収集手段から出力された周囲雑音信号のレベルに関係なく、出力レベルが所定の一定値になるように前記音声出力装置を制御することを特徴とする請求項１乃至４のいずれか１項記載のテレビ受信装置。
【請求項６】
前記受信手段により受信されたテレビジョン放送の音声信号を音声として出力する音声出力装置をさらに備え、前記制御手段は、前記雑音収集手段から出力された周囲雑音信号のレベルに応じて出力レベルが増減するように前記音声出力装置を制御することを特徴とする請求項１乃至４のいずれか１項記載のテレビ受信装置。
【請求項７】
前記制御手段は、前記出力された周囲雑音信号のレベルと前記制御された音声の出力レベルとの差に応じて出力レベルが増減するように前記音声出力装置を制御することを特徴とする請求項６記載のテレビ受信装置。
【請求項８】
前記制御手段は、前記表示装置が前記生成された文字情報を表示したときに、前記音声を出力しないように前記音声出力装置を制御することを特徴とする請求項１乃至７のいずれか１項記載のテレビ受信装置。
【請求項９】
前記テレビジョン放送の音声信号に応じた文字情報信号が前記テレビジョン放送に多重されており、前記生成手段は前記受信手段により受信されたテレビジョン放送中に含まれる文字情報信号を用いて前記文字情報を生成することを特徴とする請求項１乃至８のいずれか１項記載のテレビ受信装置。
【請求項１０】
音声信号を受信する受信手段と、周囲の雑音を収集して周囲雑音信号を出力する雑音収集手段と、前記受信手段により受信された音声信号に応じた文字情報を生成する生成手段と、当該生成された文字情報を表示する表示装置とを備える信号処理装置において、前記雑音収集手段から出力された周囲雑音信号のレベルに応じて前記生成された文字情報を表示するように前記表示装置を制御する制御手段を備えることを特徴とする信号処理装置。
【発明の詳細な説明】
【技術分野】
【０００１】
本発明は、テレビ受信装置及び信号処理装置に関し、特に、雑音環境の中で視聴されるテレビ受信装置及び信号処理装置に関する。
【背景技術】
【０００２】
モバイルＴＶや携帯テレビのような従来のテレビ受信装置は、所定の出力レベルで音を出力するスピーカと、スピーカを駆動するアンプと、スピーカから出力された音声を周囲雑音と共に検出するマイクロフォンと、デジタルシグナルプロセッサ（ＤＳＰ）から成る適応フィルタを備える。
【０００３】
上記テレビ受信装置は、マイクロフォンによって検出された音からスピーカからの音声を分離した上で周囲雑音のみを抽出し、抽出した雑音の音圧レベルに比例してスピーカの出力レベルを増大させることにより、スピーカからの音声をユーザに聞かせるようにしている（例えば、特許文献１参照）。
【特許文献１】特開平０５−２５９７７９号公報
【発明の開示】
【発明が解決しようとする課題】
【０００４】
しかしながら、上記テレビ受信装置において、スピーカからの音声を騒がしい環境の中でも十分に聞こえるようにスピーカの出力レベルを増大させようとしても自ずと限界がある。１つには、スピーカを駆動するアンプの能力に制限があるからであり、もう１つには、周囲に対して大きな音を出力すると、周囲の人に迷惑をかけることになるからである。
【０００５】
本発明の目的は、雑音環境の中においても周囲の人に迷惑をかけることなく視聴することができると共に、出力の大きなアンプを不要とすることができるテレビ受信装置を提供することにある。
【課題を解決するための手段】
【０００６】
上記目的を達成するために、請求項１記載のテレビ受信装置は、テレビジョン放送を受信する受信手段と、周囲の雑音を収集して周囲雑音信号を出力する雑音収集手段と、前記受信手段により受信されたテレビジョン放送の音声信号に応じた文字情報を生成する生成手段と、当該生成された文字情報を表示する表示装置と、前記雑音収集手段から出力された周囲雑音信号のレベルに応じて前記文字情報を表示するように前記生成された表示装置を制御する制御手段とを備えることを特徴とする。
【０００７】
請求項２記載のテレビ受信装置は、請求項１記載のテレビ受信装置において、前記制御手段は、前記雑音収集手段から出力された周囲雑音信号のレベルが所定の設定値よりも高いとき、前記生成された文字情報を表示し、前記所定の設定値よりも低いときには前記生成された文字情報を消去するように前記表示装置を制御することを特徴とする。
【０００８】
請求項３記載のテレビ受信装置は、請求項１記載のテレビ受信装置において、前記表示装置は、前記生成された文字情報を表示する第１の表示装置と、前記受信手段により受信されたテレビジョン放送の映像信号を表示する第２の表示装置とを備えており、前記制御手段は、前記雑音収集手段から出力された周囲雑音信号のレベルに応じて前記生成された文字情報を表示するように前記第１の表示装置を制御することを特徴とする。
【０００９】
請求項４記載のテレビ受信装置は、請求項３記載のテレビ受信装置において、前記制御手段は、前記雑音収集手段から出力された周囲雑音信号のレベルが所定の設定値よりも高いとき、前記生成された文字情報を表示するように前記第１の表示装置を制御することを特徴とする。
【００１０】
請求項５記載のテレビ受信装置は、請求項１乃至４のいずれか１項記載のテレビ受信装置において、前記受信手段により受信されたテレビジョン放送の音声信号を音声として出力する音声出力装置をさらに備え、前記制御手段は、前記雑音収集手段から出力された周囲雑音信号のレベルに関係なく、出力レベルが所定の一定値になるように前記音声出力装置を制御することを特徴とする。
【００１１】
請求項６記載のテレビ受信装置は、請求項１乃至４のいずれか１項記載のテレビ受信装置において、前記受信手段により受信されたテレビジョン放送の音声信号を音声として出力する音声出力装置をさらに備え、前記制御手段は、前記雑音収集手段から出力された周囲雑音信号のレベルに応じて出力レベルが増減するように前記音声出力装置を制御することを特徴とする。
【００１２】
請求項７記載のテレビ受信装置は、請求項６記載のテレビ受信装置において、前記制御手段は、前記出力された周囲雑音信号のレベルと前記制御された音声の出力レベルとの差に応じて出力レベルが増減するように前記音声出力装置を制御することを特徴とする。
【００１３】
請求項８記載のテレビ受信装置は、請求項１乃至７のいずれか１項記載のテレビ受信装置において、前記制御手段は、前記表示装置が前記生成された文字情報を表示したときに、前記音声を出力しないように前記音声出力装置を制御することを特徴とする。
【００１４】
請求項９記載のテレビ受信装置は、請求項１乃至８のいずれか１項記載のテレビ受信装置において、前記テレビジョン放送の音声信号に応じた文字情報信号が前記テレビジョン放送に多重されており、前記生成手段は前記受信手段により受信されたテレビジョン放送中に含まれる文字情報信号を用いて前記文字情報を生成することを特徴とする。
【００１５】
上記目的を達成するために、請求項１０記載の信号処理装置は、音声信号を受信する受信手段と、周囲の雑音を収集して周囲雑音信号を出力する雑音収集手段と、前記受信手段により受信された音声信号に応じた文字情報を生成する生成手段と、当該生成された文字情報を表示する表示装置とを備える信号処理装置において、前記雑音収集手段から出力された周囲雑音信号のレベルに応じて前記生成された文字情報を表示するように前記表示装置を制御する制御手段を備えることを特徴とする。
【発明の効果】
【００１６】
請求項１記載のテレビ受信装置によれば、周囲雑音信号のレベルに応じて文字情報を表示するように表示装置を制御するので、雑音環境の中においても周囲の人に迷惑をかけることなく視聴することができると共に、出力の大きなアンプを不要とすることができる。
【００１７】
請求項２記載のテレビ受信装置によれば、周囲雑音信号のレベルが所定の設定値よりも高いとき、文字情報を表示するように表示装置を制御するので、雑音環境の中においても周囲の人に迷惑をかけることなく視聴することができると共に、出力の大きなアンプを不要とすることができる。
【００１８】
請求項３記載のテレビ受信装置によれば、表示装置が文字情報を表示する第１の表示装置と、テレビジョン放送の映像情報を表示する第２の表示装置とを備えているので、文字情報がテレビジョン放送の画像と重畳するのを回避して、文字情報を確実に読み取ることができる。
【００１９】
請求項４記載のテレビ受信装置によれば、周囲雑音信号のレベルが所定の設定値よりも高いとき、文字情報を表示するように第１の表示装置を制御するので、雑音環境の中においても周囲の人に迷惑をかけることなく確実に視聴することができる。
【００２０】
請求項５記載のテレビ受信装置によれば、周囲雑音信号のレベルに関係なく、出力レベルが所定の一定値になるように音声出力装置を制御するので、音声出力装置の出力レベルを任意に設定することができる。
【００２１】
請求項６記載のテレビ受信装置によれば、周囲雑音信号のレベルに応じて音声出力装置の出力レベルを増減させるので、音声出力装置の出力レベルを調整することなく、適切な出力レベルで音声を出力することができる。
【００２２】
請求項７記載のテレビ受信装置によれば、周囲雑音信号のレベルと音声の出力レベルとの差に応じて出力レベルを増減するように音声出力装置を制御するので、雑音環境の中でも適切な出力レベルで音声を出力することができる。
【００２３】
請求項８記載のテレビ受信装置によれば、表示装置が文字情報を表示したときに、音声を出力しないように音声出力装置を制御するので、出力の大きなアンプを用いる必要を確実になくし得、電力の消費を抑えることができる。
【００２４】
請求項９記載のテレビ受信装置によれば、テレビジョン放送中に含まれる文字情報信号を用いて文字情報を生成するので、正確に文字情報を表示することができる。
【００２５】
請求項１０記載の信号処理装置によれば、受信された音声信号に応じた文字情報を生成し、周囲雑音信号のレベルに応じて文字情報を表示するように表示装置を制御するので、雑音環境の中においても周囲の人に迷惑をかけることなく聴取することができると共に、出力の大きなアンプを不要とすることができる。
【発明を実施するための最良の形態】
【００２６】
以下、本発明の実施の形態を図面を参照しながら詳述する。
【００２７】
図１は、本発明の第１の実施の形態に係るテレビ受信装置のブロック図である。
【００２８】
図１において、図１のテレビ受信装置１００は、ＴＶ受信復調回路８と、ＴＶ受信復調回路８に夫々接続されたアンテナ７（受信手段）、音量調整器９、及び文字情報変換回路１２（生成手段）とを備え、さらに、音量調整器９にスピーカアンプ１０を介して接続されたスピーカ１１（音声出力装置）を備える。
【００２９】
上記テレビ受信装置１００は、また、マイクロコンピュータ６（制御手段）と、出力端がマイクロコンピュータ６に接続された比較器５と、比較器５の一方の入力端に接続された検出器３と、検出器３にマイクアンプ２を介して接続されたマイク１（雑音収集手段）と、比較器５の他方の入力端に接続され、所定の設定値Ｎ１を記憶する記憶装置４とを備える。
【００３０】
上記テレビ受信装置１００は、さらに、文字情報変換回路１２及びマイクロコンピュータ６に接続され、マイクロコンピュータ６の出力に応じて文字情報変換回路１２の出力をオンオフする切り換えスイッチ１３と、ＴＶ受信復調回路８及び切り替えスイッチ１３に接続され、これらの双方の出力を合成する合成器１４と、合成器１４に接続された表示器１５（表示装置）とを備える。
【００３１】
ＴＶ受信復調回路８は、アンテナ７が受信した電波を映像信号、音声信号及び音声信号に応じた文字情報信号に復調する。本実施の形態では、アンテナ７にて受信するテレビジョン信号には、放送番組の映像、音声信号に加え、音声に対応した文字情報がデジタルデータとして多重されている。ＴＶ受信復調回路８は、アンテナ７により受信されたテレビジョン放送信号から、これらの映像信号、音声信号及び文字情報信号を検出して処理する。
【００３２】
音量調整器９は、ＴＶ受信復調回路８から出力された音声信号のレベルを制御し、スピーカアンプ１０は、音量調整器９から出力された音声信号を増幅し、スピーカ１１は、音量調整器９から出力された音声信号を音声に変換して出力する。スピーカ１１の出力レベルは、周囲雑音のレベルに関係なく、ユーザが設定したレベルで一定である。
【００３３】
文字情報変換回路１２は、ＴＶ受信復調回路８から出力された文字情報信号を文字情報に変換する。
【００３４】
マイク１は、スピーカ１０が出力している音声を周囲雑音と共に検出し、マイクアンプ２は、マイク１から出力された音声信号を増幅し、検出器３は、マイクアンプ２から出力された音声信号のレベルを測定する。
【００３５】
記憶装置４は、マイクアンプ２から出力された音声信号のレベルに関する所定の設定値Ｎ１を記憶しており（図２）、比較器５は、検出器３の出力レベルと記憶装置４が記憶している所定の設定値Ｎ１とを比較して、その比較結果をマイクロコンピュータ６に送出する。
【００３６】
切り換えスイッチ１３は、マイクロコンピュータ６からの指令により文字情報変換回路１２の出力をオンオフする。合成器１４はＴＶ受信復調回路８から出力される映像信号と文字情報変換回路１２から送出される文字情報を合成し、表示器１５は、合成器１４により合成された映像を表示する。
【００３７】
マイクロコンピュータ６は、検出器３の出力レベルが記憶装置４の所定の設定値Ｎ１より大きいときは（図２）、切り換えスイッチ１３をオンにして文字情報変換回路１２の出力を合成器１４に送出する。これにより、合成器１４はＴＶ受信復調回路８から出力される映像信号と文字情報変換回路１２から送出される文字情報を合成し、表示器１５はＴＶ受信復調回路８の映像情報と文字情報変換回路１２の文字情報が重畳した映像を表示する（図３）。
【００３８】
マイクロコンピュータ６は、また、検出器３の出力レベルが記憶装置４の所定の設定値Ｎ１より小さいときは（図２）、切り換えスイッチ１３をオフにして文字情報変換回路１２の出力を遮断する。これにより、合成器１４は、文字情報変換回路１２から出力される文字情報を受容せず、表示器１５はＴＶ受信復調回路８の映像情報だけを表示する（図４）。
【００３９】
図５は、本発明の第２の実施の形態に係るテレビ受信装置のブロック図である。
【００４０】
図５のテレビ受信装置１０１は図１の装置と構成が基本的に同じであり、図１の装置と同一の構成要素には同一の符号を付して重複した説明を省略し、以下、図１の装置と異なる部分についてのみ説明する。
【００４１】
図５のテレビ受信装置１０１は、合成器１４を備えておらず、表示器１５（第１の表示装置）はＴＶ受信復調回路に直接接続されている。また、切り換えスイッチ１３には、文字情報だけを表示する表示器１６（第２の表示装置）が接続されている。
【００４２】
マイクロコンピュータ６は、検出器３の出力レベルが記憶装置４の所定の設定値Ｎ１より大きいときは（図２）、切り換えスイッチ１３をオンにして文字情報変換回路１２の出力を表示器１６に送出し、これにより、表示器１６はＴＶ受信復調回路８の文字情報を表示する。表示器１５は、常時ＴＶ受信復調回路８の映像情報だけを表示する（図６）。
【００４３】
マイクロコンピュータ６は、また、検出器３の出力レベルが記憶装置４の所定の設定値Ｎ１より小さいときは（図２）、切り換えスイッチ１３をオフにして文字情報変換回路１２の出力を遮断し、これにより、表示器１６は何も表示しない。表示器１５は、常時ＴＶ受信復調回路８の映像情報だけを表示する（図７）。
【００４４】
図８は、本発明の第３の実施の形態に係るテレビ受信装置のブロック図である。
【００４５】
図８のテレビ受信装置１０２は、図１の装置と構成が基本的に同じであり、図１の装置と同一の構成要素には同一の符号を付して重複した説明を省略し、以下は図１の処理と異なる部分についてのみ説明する。
【００４６】
図８のテレビ受信装置１０２は、音量調整器９の出力レベルを検出する検出器１７と、一方の入力端が検出器１７に、他方の入力端が検出器３に接続されると共に、出力端がマイクロコンピュータ６に接続され、検出器１７の出力レベルと検出器３の出力レベルを比較して比較結果をマイクロコンピュータ６に送出する比較器１８とを備え、マイクロコンピュータ６は、さらに、比較器１８から送出される比較結果に基づいて、音量調整器９を制御するように構成されている。
【００４７】
マイクロコンピュータ６は、音量調整器９が基準音量レベルを出力したときの検出器１７の出力レベルＬ１と、さらに周囲が無音であるときの検出器３の出力レベルＬ２との差Ａ（＝Ｌ１−Ｌ２）を記憶しており（図１０）、検出器１７の出力レベルと検出器３の出力レベルとの差が、常にＡと等しくなるように、音量調整器９を制御している。これにより、検出器３の出力レベルが低くなると、マイクロコンピュータ６は、検出器１７の出力レベルと検出器３の出力レベルの差の値がＡと等しくなるように音量調整器９の出力レベルを低くし、逆に、検出器３の出力レベルが高くなると、マイクロコンピュータ６は、音量調整器９の出力レベルを高くする。
【００４８】
また、マイクロコンピュータ６は、図１の装置と同様に、検出器３の出力レベルが記憶装置４が記憶している所定の設定値Ｎ１よりも大きいときは（図９）、切り換えスイッチ１３をオンにして文字情報変換回路１２の出力を合成器１４に送出し、所定の設定値Ｎ１よりも小さいときは（図９）、切り換えスイッチ１３をオフにして文字情報変換回路１２の出力を遮断する。
【００４９】
これにより、検出器３の出力レベルが記憶装置４の所定の設定値Ｎ１より大きいときは（図９）、表示器１５はＴＶ受信復調回路８の映像情報と文字情報変換回路１２の文字情報が重畳した映像を表示し、検出器３の出力レベルが記憶装置４の所定の設定値Ｎ１より小さいときは（図９）、周囲雑音レベルが高くなると音量調整器９の出力も高くなり、周囲雑音レベルが低くなると音量調整器９の出力レベルも低くなる。
【００５０】
図１１は、本発明の第４の実施の形態に係るテレビ受信装置のブロック図である。
【００５１】
図１１のテレビ受信装置１０３は、図８の装置と構成が基本的に同じであり、図８の装置と同一の構成要素には同一の符号を付して重複した説明を省略し、以下は図８の処理と異なる部分についてのみ説明する。
【００５２】
図１１の装置１０３は合成器１４を備えておらず、表示器１５はＴＶ受信復調回路に直接接続されている。また、切り換えスイッチ１３には、文字情報だけを表示する表示器１６が接続されている。
【００５３】
マイクロコンピュータ６は、検出器３の出力レベルが記憶装置４の所定の設定値Ｎ１より小さいときは（図９）、切り換えスイッチ１３をオフにして文字情報変換回路１２の出力を遮断し、図８の装置と同様に、音量調整器９の出力レベルを調整する（図１０）。
【００５４】
マイクロコンピュータ６は、検出器３の出力レベルが記憶装置４の所定の設定値Ｎ１より大きいときは（図９）、切り換えスイッチ１３をオンにして文字情報変換回路１２の出力を表示器１６に送出し、これにより、表示器１６はＴＶ受信復調回路８の文字情報を表示する。
【００５５】
上記第１〜第４の実施の形態において、検出器３の出力レベルが記憶装置４の所定の設定値Ｎ１より大きいときは、スピーカが音声を出力しないように制御することも可能である。
【００５６】
本発明の信号処理装置は、テレビ受信装置、表示装置付きラジオ受信器、及び表示装置付きトランシーバを含む。
【００５７】
上記ラジオ受信装置及びトランシーバの各々は、音声信号を受信するアンテナ（受信手段）と、周囲の雑音を収集して周囲雑音信号を出力するマイク（雑音収集手段）と、アンテナにより受信された音声信号に応じた文字情報を生成する文字情報変換回路（生成手段）と、生成された文字情報を表示する表示器（表示装置）と、マイクロコンピュータ（制御手段）とを備え、マイクから出力された周囲雑音信号のレベルに応じて文字情報を表示するように表示器を制御する。
【００５８】
このような構成により、上記テレビ受信装置と同様の効果を奏する。
【図面の簡単な説明】
【００５９】
【図１】本発明の第１の実施の形態に係るテレビ受信装置のブロック図である。
【図２】図１における検出器の出力レベルと周囲騒音のレベルとの関係を示すグラフである。
【図３】図１における表示器の表示例を説明するのに用いられる図である。
【図４】図１における表示器の表示例を説明するのに用いられる図である。
【図５】本発明の第２の実施の形態に係るテレビ受信装置のブロック図である。
【図６】図５における表示器の表示例を説明するのに用いられる図である。
【図７】図５における表示器の表示例を説明するのに用いられる図である。
【図８】本発明の第３の実施の形態に係るテレビ受信装置のブロック図である。
【図９】図８における検出器の出力レベルと周囲雑音レベルとの関係を示すグラフである。
【図１０】図８における検出器の入力レベル及び出力レベルの関係を示すグラフである。
【図１１】本発明の第４の実施の形態に係るテレビ受信装置のブロック図である。
【符号の説明】
【００６０】
１  マイク
３  検出器
４  記憶装置
５  比較器
６  マイクロコンピュータ
８  ＴＶ受信復調回路
９  音量調整器
１１  スピーカ
１２  文字情報変換回路
１３  切り換えスイッチ
１４  合成器
１５  表示器
【図１】
2005236900.tif 000003
【図２】
2005236900.tif 000004
【図３】
2005236900.tif 000005
【図４】
2005236900.tif 000006
【図５】
2005236900.tif 000007
【図６】
2005236900.tif 000008
【図７】
2005236900.tif 000009
【図８】
2005236900.tif 000010
【図９】
2005236900.tif 000011
【図１０】
2005236900.tif 000012
【図１１】
2005236900.tif 000013